(57)【要約】【課題】紙蓋の天板部に、設計された形状を逸脱しにくい切込みを持つ紙蓋を提供すること。【解決手段】紙を主体とする紙蓋１であって、紙蓋１は、切込み１９を有する天板部１１を含む。切込み１９は、第１端点１９１と、第２端点１９２と、切れ目線１９３と、を含む。第２端点１９２は、第１端点１９１から、紙蓋１の紙目４の方向に離れている。切れ目線１９３は、第１端点１９１及び第２端点１９２のそれぞれから、紙目４の方向と交差する方向に延び、第１端点１９１から第２端点１９２までの間に２つ以上の変曲点Ｐ２１〜Ｐ２３を有して、第１端点１９１と第２端点１９２とを結ぶ。【選択図】図３
2020090316.tif 000002
【特許請求の範囲】
【請求項１】
紙を主体とする紙蓋であって、
前記紙蓋は、切込みを有する天板部を含み、
前記切込みは、
第１端点と、
前記第１端点から、前記紙蓋の紙目の方向に離れている第２端点と、
前記第１端点及び前記第２端点のそれぞれから、前記紙目と交差しつつ延び、前記第１端点から前記第２端点までの間に２つ以上の変曲点を有して、前記第１端点と前記第２端点とを結ぶ切れ目線と、を含むこと
を特徴とする紙蓋。
【請求項２】
前記切れ目線は、
前記第１端点及び前記第２端点のそれぞれから、前記紙目と直交する方向に延びること
を特徴とする請求項１に記載の紙蓋。
【請求項３】
紙を主体とする紙蓋の製造方法であって、
前記紙蓋は、
切込みを有する天板部と、
前記天板部の外側周囲に内嵌合部と、
前記内嵌合部の外側周囲に外嵌合部と、
を備え、
前記切込みは、
第１端点と、
前記第１端点から、前記紙蓋の紙目の方向に離れている第２端点と、
前記第１端点及び前記第２端点のそれぞれから、前記紙目と交差しつつ延び、前記第１端点から前記第２端点までの間に２つ以上の変曲点を有して、前記第１端点と前記第２端点とを結ぶ切れ目線と、を含み、
前記天板部、前記内嵌合部、及び前記外嵌合部は、
前記天板部、前記内嵌合部、及び前記外嵌合部の順に成型され、
前記内嵌合部を成型する前に、前記切込みを前記天板部に形成すること
を特徴とする紙蓋の製造方法。
【発明の詳細な説明】
【技術分野】
【０００１】
この発明は、紙蓋及び紙蓋の製造方法に関する。
【背景技術】
【０００２】
紙コップ等の紙容器の蓋として、プラスチック等の樹脂蓋が用いられている。しかし、樹脂蓋は、廃棄する際、紙コップや紙容器と分別する必要があり、消費者の手間となる。
【０００３】
特許文献１には、天板と、天板の周側部に設けられた、外壁と上壁と内壁とからなる下方に開いた台形状の溝部と、を有した紙蓋が記載されている。
【先行技術文献】
【特許文献】
【０００４】
【特許文献１】特許第３４３２３１６号公報
【発明の概要】
【発明が解決しようとする課題】
【０００５】
特許文献１には、例えば、天板（天板部）にストロー穴や内容物を飲用するための飲み口として使用可能な切込みを打ち抜く、という記載はない。
【０００６】
しかし、紙蓋の天板部に、例えば、ストロー穴や飲み口として使用可能な切込みを打ち抜くと、切込みが、設計された形状を逸脱して拡がり、ブランクが破れてしまう、という事情がある。
【０００７】
この発明は、上記事情に鑑みて為されたもので、その目的は、紙蓋の天板部に、設計された形状を逸脱しにくい切込みを持つ紙蓋、及び切込みを紙蓋の天板部に、この天板部を破断させることなく形成することが可能な紙蓋の製造方法を提供することにある。
【課題を解決するための手段】
【０００８】
第１発明に係る紙蓋は、紙を主体とする紙蓋であって、前記紙蓋は、切込みを有する天板部を含み、前記切込みは、第１端点と、前記第１端点から、前記紙蓋の紙目の方向に離れている第２端点と、前記第１端点及び前記第２端点のそれぞれから、前記紙目と交差しつつ延び、前記第１端点から前記第２端点までの間に２つ以上の変曲点を有して、前記第１端点と前記第２端点とを結ぶ切れ目線と、を含むことを特徴とする。
【０００９】
第２発明に係る紙蓋は、第１発明において、前記切れ目線は、前記第１端点及び前記第２端点のそれぞれから、前記紙目と直交する方向に延びることを特徴とする。
【００１０】
第３発明に係る紙蓋の製造方法は、紙を主体とする紙蓋の製造方法であって、前記紙蓋は、切込みを有する天板部と、前記天板部の外側周囲に内嵌合部と、前記内嵌合部の外側周囲に外嵌合部と、を備え、前記切込みは、第１端点と、前記第１端点から、前記紙蓋の紙目の方向に離れている第２端点と、前記第１端点及び前記第２端点のそれぞれから、前記紙目と交差しつつ延び、前記第１端点から前記第２端点までの間に２つ以上の変曲点を有して、前記第１端点と前記第２端点とを結ぶ切れ目線と、を含み、前記天板部、前記内嵌合部、及び前記外嵌合部は、前記天板部、前記内嵌合部、及び前記外嵌合部の順に成型され、前記内嵌合部を成型する前に、前記切込みを前記天板部に形成することを特徴とする。
【発明の効果】
【００１１】
第１、第２発明に係る紙蓋によれば、第１端点及び第２端点のそれぞれから、紙目と交差しつつ延びる切れ目線が、第１端点から第２端点までの間に２つ以上の変曲点を有して、第１端点と第２端点とを結ぶ。これにより、切込みを、天板部が破れることなく、設計された形状で天板部に得ることができる。よって、紙蓋の天板部に、設計された形状を逸脱しにくい切込みを持つ紙蓋を提供できる。
【００１２】
第３発明に係る紙蓋の製造方法によれば、第１端点及び第２端点のそれぞれから、紙目と交差しつつ延び、第１端点から第２端点までの間に２つ以上の変曲点を有して、第１端点と第２端点とを結ぶ切れ目線を含む切込みを、内嵌合部を成型する前に、天板部に形成する。これにより、切込みを有する天板部、内嵌合部、及び外嵌合部のそれぞれを備えた紙蓋を、天板部を破断させることなく形成することが可能な紙蓋の製造方法を提供できる。
【図面の簡単な説明】
【００１３】
【図１】図１（ａ）は、この発明の一実施形態に係る紙蓋の一例を示す模式平面図である。図１（ｂ）は、図１（ａ）中のＩＢ−ＩＢ線に沿う模式断面図である。
【図２】図２は、図１（ｂ）中の破線枠II内を拡大して示す模式断面図である。
【図３】図３（ａ）は、この発明の一実施形態に係る紙蓋の一例を、さらに詳細に示す模式平面図である。図３（ｂ）は、この発明の一実施形態に係る紙蓋の別の例を、さらに詳細に示す模式平面図である。
【図４】図４（ａ）〜図４（ｆ）は、紙蓋の模式平面図である。
【図５】図５（ａ）及び図５（ｂ）は、第１例に係る切込みを示す模式平面図である。
【図６】図６（ａ）及び図６（ｂ）は、第２参考例に係る切込みを示す模式平面図である。
【図７】図７（ａ）及び図７（ｂ）は、第２例に係る切込みを示す模式平面図である。
【図８】図８（ａ）及び図８（ｂ）は、第３参考例に係る切込みを示す模式平面図である。
【図９】図９（ａ）及び図９（ｂ）は、第３例に係る切込みを示す模式平面図である。
【図１０】図１０（ａ）及び図１０（ｂ）は、第４例に係る切込みを示す模式平面図である。
【図１１】図１１（ａ）及び図１１（ｂ）は、第５例に係る切込みを示す模式平面図である。
【図１２】図１２（ａ）及び図１２（ｂ）は、第６例に係る切込みを示す模式平面図である。
【図１３】図１３は、この発明の一実施形態に係る紙蓋の製造に使用可能な加工機の一例を示す模式断面図である。
【図１４】図１４は、この発明の一実施形態に係る紙蓋を製造する製造方法の一例を示す模式断面図である。
【図１５】図１５（ａ）〜図１５（ｄ）は、この発明の一実施形態に係る紙蓋を製造する製造方法の一例を示す模式断面図である。
【図１６】図１６（ａ）〜図１６（ｄ）は、この発明の一実施形態に係る紙蓋を製造する製造方法の一例を示す模式断面図である。
【図１７】図１７（ａ）及び図１７（ｂ）は、載置面及び抑え面のそれぞれを部分的に拡大して示す模式断面図である。
【図１８】図１８（ａ）及び図１８（ｂ）は、ドローダイ、ブランクホルダー、環状突起部、及びプランジャーのそれぞれを部分的に拡大して示す模式断面図である。
【図１９】図１９は、ドローダイ、ブランクホルダー、環状突起部、及び縮径部のそれぞれを部分的に拡大して示す模式断面図である。
【図２０】図２０（ａ）及び図２０（ｂ）は、切込みが形成されたブランクの一例を示す模式平面図である。
【図２１】図２１（ａ）は、第４参考例に係る紙蓋を示す模式断面図である。図２１（ｂ）は、この発明の一実施形態に係る紙蓋の一例を示す模式断面図である。
【図２２】図２２は、この発明の一実施形態に係る紙蓋の一例を示す模式断面図である。
【図２３】図２３（ａ）〜図２３（ｃ）は、一実施形態に係る紙蓋の一例を、製造工程順に示す模式断面図である。
【図２４】図２４（ａ）は、この発明の一実施形態に係る紙蓋の一例を示す模式断面図である。図２４（ｂ）は、この発明の一実施形態に係る紙蓋の一例に嵌合可能な紙容器を示す模式断面図である。
【図２５】図２５は、テーパー角と割合との関係を示す図である。
【図２６】図２６（ａ）は、この発明の一実施形態に係る紙蓋の一例を示す模式斜視図である。図２６（ｂ）は、図２６（ａ）に示す模式斜視図の一部を切り欠いて示す模式斜視図である。
【図２７】図２７（ａ）は、フランジ部１５の末端を示す図面代用写真である。図２７（ｂ）は、図２７（ａ）に示す図面代用写真の撮影方向を示す模式断面図である。
【図２８】図２８（ａ）は、フランジ部１５の外面を示す図面代用写真である。図２８（ｂ）は、図２８（ａ）に示す図面代用写真の撮影方向を示す模式断面図である。
【図２９】図２９（ａ）は、図１（ｂ）中のＸＸＩＸＡ−ＸＸＩＸＡ線に沿う模式断面図である。図２９（ｂ）は、図１（ｂ）中のＸＸＩＸＢ−ＸＸＩＸＢ線に沿う模式断面図である。
【図３０】図３０（ａ）は紙蓋を積み重ねた状態を示す模式斜視図である。図３０（ｂ）は紙蓋を積み重ねたときの内嵌合部及び外嵌合部のそれぞれを拡大して示す模式断面図である。
【発明を実施するための形態】
【００１４】
以下、この発明の一実施形態を、図面を参照して説明する。
【００１５】
（紙蓋）
図１（ａ）は、この発明の一実施形態に係る紙蓋の一例を示す模式平面図、図１（ｂ）は、図１（ａ）中のＩＢ−ＩＢ線に沿う模式断面図である。図２は、図１（ｂ）中の破線枠II内を拡大して示す模式断面図である。
【００１６】
図１（ａ）、図１（ｂ）、及び図２に示すように、紙蓋１は、紙を主体とするブランク１０から成り、天板部１１と、内嵌合部１２と、頂部１３と、外嵌合部１４と、フランジ部１５と、を含む。紙蓋１の平面視した形状は、例えば円形である。ブランク１０には、例えば押罫線はあってもよい。
【００１７】
天板部１１は、第１方向Ｘ１に延びる。天板部１１は、天面１１ａと、容器面１１ｂと、を有する。容器面１１ｂは、天面１１ａの裏面にある。容器面１１ｂは、紙蓋１が、紙容器２に嵌合されたとき、紙容器２の容器部と面する。天板部は、切込み１９を有する。
【００１８】
内嵌合部１２は、紙蓋１の周縁部ＯＥＰに、天板部１１の周方向に沿って設けられている。内嵌合部１２は、第１方向Ｘ１と交差する第２方向Ｚ２に延び、天板部１１と連続している。
【００１９】
頂部１３は、周縁部ＯＥＰに、内嵌合部１２の周方向に沿って設けられている。頂部１３は、第２方向Ｚ２と交差する第３方向Ｘ３に延び、内嵌合部１２と連続している。実施形態では、頂部１３は、その断面において第２方向Ｚ２に向かって凸となる曲面を含む。
【００２０】
外嵌合部１４は、周縁部ＯＥＰに、頂部１３の周方向に沿って設けられている。外嵌合部１４は、第３方向Ｘ３と交差する第４方向Ｚ４に延び、頂部１３と連続している。外嵌合部１４は、内嵌合部１２と離れて相対する。頂部１３の下で、内嵌合部１２と外嵌合部１４との間には、内嵌合部１２及び外嵌合部１４のそれぞれを囲壁とし、頂部１３を底とした環状凹部１６が設けられる。容器、例えば紙容器２は、環状凹部１６に嵌合される。紙容器２は、例えば、紙コップである。内嵌合部１２は、紙容器２の容器部内周面２１と嵌合し、外嵌合部１４は、紙容器２のカール部２２の外周面と嵌合する。
【００２１】
フランジ部１５は、周縁部ＯＥＰに、外嵌合部１４の周方向に沿って設けられている。フランジ部１５は、第４方向Ｚ４と交差する第５方向Ｘ５に延び、外嵌合部１４と連続している。フランジ部１５は、紙蓋１の末端１０ａを含む。
【００２２】
紙蓋１は、紙蓋１の断面において、内嵌合部１２において第２方向Ｚ２に曲がり、頂部１３において第３方向Ｘ３に曲がり、外嵌合部１４において第４方向Ｚ４に曲がり、フランジ部１５において第５方向Ｘ５に曲がる。つまり、内嵌合部１２、頂部１３、外嵌合部１４、及びフランジ部１５のそれぞれは、１枚のブランク１０から得られている。
【００２３】
このような形状の紙蓋１において、天板部１１と内嵌合部１２との境界、内嵌合部１２と頂部１３との境界、頂部１３と外嵌合部１４との境界、外嵌合部１４とフランジ部１５との境界をそれぞれ定めるとするならば、例えば、ブランク１０の変曲点、又は変曲点近傍を、それぞれの境界とするとよいだろう。
【００２４】
例えば、ブランク１０を絞り成型して、天板部１１、内嵌合部１２、頂部１３、外嵌合部１４、及びフランジ部１５を、ブランク１０に形成したとする。この場合、図２に示すように、例えば、天板部１１と内嵌合部１２との境界は、ブランク１０を第１方向Ｘ１から第２方向Ｚ２へ曲げた（絞った）ときに生じた変曲点Ｐ１とできる。これにより、天板部１１は反対側にある変曲点Ｐ１（図２では図示せず）から図２に図示された変曲点Ｐ１までと定められる。
【００２５】
同様に、内嵌合部１２と頂部１３との境界は、ブランク１０を第２方向Ｚ２から第３方向Ｘ３へ曲げた（絞った）ときに生じた変曲点Ｐ２とできる。これにより、内嵌合部１２は、変曲点Ｐ１から変曲点Ｐ２までと定められる。
【００２６】
同様に、頂部１３と外嵌合部１４との境界は、ブランク１０を第３方向Ｘ３から第４方向Ｚ４へ曲げた（絞った）ときに生じた変曲点Ｐ３とできる。これにより、頂部１３は、変曲点Ｐ２から変曲点Ｐ３までと定められる。外嵌合部１４とフランジ部１５との境界は、ブランク１０を第４方向Ｚ４から第５方向Ｘ５に曲げた（絞った）ときに生じた変曲点Ｐ４とできる。これにより、外嵌合部１４は、変曲点Ｐ３から変曲点Ｐ４までと定められる。フランジ部１５は、変曲点Ｐ４から末端１０ａまでと定められる。
【００２７】
図３（ａ）は、この発明の一実施形態に係る紙蓋の一例を、さらに詳細に示す模式平面図である。図３（ｂ）は、この発明の一実施形態に係る紙蓋の別の例を、さらに詳細に示す模式平面図である。
【００２８】
図３（ａ）及び図３（ｂ）に示すように、天板部１１は、切込み１９を有する。切込み１９は、第１端点１９１と、第２端点１９２と、切れ目線１９３と、を含む。紙蓋１には、紙目４がある。紙目４は、ＭＤ（Machine Direction）方向と並行である。ＭＤ方向は、抄紙機（図示せず）における抄紙方向である。第２端点１９２は、第１端点１９１から、紙目４の方向に沿って離れている。切れ目線１９３は、第１端点１９１及び第２端点１９２のそれぞれから、ＭＤ方向と交差するＣＤ（Cross-machine Direction）方向に延びる。本実施形態では、ＣＤ方向は、紙目４（ＭＤ方向）と直交する。切れ目線１９３は、第１端点１９１から第２端点１９２までの間に２つ以上の変曲点を有して、第１端点１９１と第２端点１９２とを結ぶ。切込み１９は、図３（ａ）に示すように天板部１１のほぼ中央に設けられること、図３（ｂ）に示すように天板部１１の端に設けられることのいずれもが可能である。
【００２９】
なお、本明細書において、切れ目線１９３における変曲点は、直線から曲線に変わる点、曲線上の点において、接線が紙目と平行又は垂直となる点、及び頂点を含む、と定義する。
【００３０】
一例に係る紙蓋１の切れ目線１９３は、第１直線部５１と、第２直線部５２と、曲線部５３と、を含む。第１直線部５１は、一端を第１端点１９１とし、ＣＤ方向に延びる。第１直線部５１は、例えば、ＣＤ方向と平行である。第２直線部５２は、一端を第２端点１９２とし、ＣＤ方向に延びる。第２直線部５２は、例えば、ＣＤ方向と平行である。曲線部５３は、第１直線部５１の他端と、第２直線部５２の他端とを結ぶ。第１直線部５１の他端と曲線部５３の一端との接続点は、第１変曲点Ｐ２１である。第２直線部５２の他端と曲線部５３の他端との接続点は、第２変曲点Ｐ２２である。曲線部５３のＣＤ方向に沿った凸部の頂点は、第３変曲点Ｐ２３である。これにより、一例に係る紙蓋１の切れ目線１９３では、第１端点１９１から第２端点１９２までの間に３つの変曲点Ｐ２１〜Ｐ２３を有するものとなる。
【００３１】
天板部１１の切れ目線１９３で囲まれた部分１１ｃは、可動切片の１種であり、押し開き可能である。例えば、部分１１ｃは、第１端点１９１と第２端点１９２との間に残った天板部１１を支点として、押し開かせることができる。このような切込み１９が天板部１１のほぼ中央に設けられると、例えば、ストローを差し込むストロー穴として使用することができる（図３（ａ））。
【００３２】
また、切込み１９が天板部１１の端に設けられると、例えば、内容物を直接飲用するための飲み口として使用することができる（図３（ｂ））。部分１１ｃは、引きちぎることが可能である。切込み１９を飲み口として使用する場合には、例えば、部分１１ｃを引きちぎればよい。
【００３３】
一例に係る紙蓋１の切れ目線１９３では、曲線部５３が部分１１ｃの外側に向かって凸である。平面視した切込み１９の形状は、紙目４から９０°横倒しされたＵ字状となる。Ｕ字状の切込み１９によれば、部分１１ｃを天板部に広く得ることができる。このため、例えば、切込み１９をストロー穴として用いた際、ストローを差し込みやすくなる、という利点が得られる。また、一例に係る紙蓋１の切れ目線１９３では、曲線部５３を部分１１ｃの内側に向かって凸である場合と比較して、鋭角な部位がなくなる。このため、ブランク１０が、より破れにくくなることが期待される。
【００３４】
図４（ａ）〜図４（ｆ）は、紙蓋の模式平面図である。図４（ａ）及び図４（ｂ）のそれぞれには第１参考例に係る紙蓋１ａの模式平面が示され、図４（ｃ）及び図４（ｄ）のそれぞれには第２参考例に係る紙蓋１ｂの模式平面が示され、図４（ｅ）及び図４（ｆ）のそれぞれには一実施形態に係る紙蓋１の模式平面が示されている。
【００３５】
図４（ａ）に示すように、第１参考例に係る紙蓋１ａでは、天板部１１に、十字形状の切込み１９ｘを打ち抜く。切込み１９ｘの縦直線部はＭＤ方向（紙目４）と並行で、横直線部はＣＤ方向と並行である。
【００３６】
しかし、図４（ａ）の切込み１９ｘを設けたブランク１０から紙蓋１を成型すると、図４（ｂ）に示すように、切込み１９ｘは、設計された十字形状を逸脱して拡がり、紙蓋１が破れた。天板部１１には、紙目４の１つの方向に裂け拡がった穴４１ａが開いた。
【００３７】
図４（ｃ）に示すように、第２参考例に係る紙蓋１ｂでは、天板部１１に、Ｕ字形状の切込み１９ｕを打ち抜く。切込み１９ｕの２つの直線部はＭＤ方向と並行である。
【００３８】
しかし、図４（ｃ）の切込み１９ｕを設けたブランク１０から紙蓋１を成型すると、図４（ｄ）に示すように、切込み１９ｕもまた、設計されたＵ字形状を逸脱して拡がり、紙蓋１が破れた。天板部１１には、紙目４、及び紙目４から±約１２０°方向の３つの方向に裂け拡がった穴４１ｂが開いた。
【００３９】
図４（ｅ）に示すように、一実施形態に係る紙蓋１では、天板部１１に、Ｕ字形状の切込み１９を打ち抜く。切込み１９の２つの直線部は、切込み１９ｕの２つの直線部とは異なり、ＣＤ方向と並行である。
【００４０】
この図４（ｅ）の切込み１９を設けたブランク１０から紙蓋１を成型すると、図４（ｆ）に示すように、ほぼ設計された通りのＵ字形状の切込み１９を、天板部１１に得ることができた。
【００４１】
このように、一実施形態に係る紙蓋１によれば、ブランク１０に、切込み１９を設けた後に紙蓋１を成型しても、設計された通りの切込み１９を備えた紙蓋１得ることができる。
【００４２】
これは、以下の理由によるものであると考えられる。
一般的に、紙の繊維はＭＤ方向へ配列しやすい。このため、紙の引裂強度は、繊維の流れを引き裂く方向に低く、繊維の流れを引っ張る方向に高い。
【００４３】
天板部１１の成型時には、天板部１１の中心から周縁方向への力が働く。切込み１９を、ＭＤ方向に沿って形成すると、切込み１９の第１、第２端点１９１及び１９２のそれぞれが繊維の流れを引き裂く方向に引っ張られてしまい、紙が、第１、第２端点１９１及び１９２を起点として破断してしまう。
【００４４】
これに対して、切込み１９を、ＭＤ方向から傾けて形成すると、切込み１９の第１、第２端点１９１及び１９２のそれぞれが、繊維の流れを引き裂く方向、及び繊維の流れを引っ張る方向のそれぞれに引っ張られるようになる。切込み１９を、ＭＤ方向からＣＤ方向へ向けて傾けるにつれて、繊維の流れを引き裂く力の割合が小さくなり、反対に繊維の流れを引っ張る力の割合が大きくなっていく。このため、引裂強度は、切込み１９を、ＭＤ方向からＣＤ方向へ向けて傾けるにつれて高まり、第１、第２端点１９１及び１９２を起点とした紙の破断の可能性が低くなっていく。そして、切込み１９を、ＣＤ方向に沿って形成すると、繊維の流れを引き裂く力を、ほぼ無くすことができる。
【００４５】
このような繊維の流れを引き裂く力と、繊維の流れを引っ張る力との割合に応じた引裂強度の変化により、切込み１９を設けたブランク１０であっても、紙を破断させることなく、紙蓋１を成型できると考えられる。
【００４６】
切込み１９の形状の例のいくつかを説明する。
＜切込み１９：第１例＞
図５（ａ）及び図５（ｂ）は、第１例に係る切込みを示す模式平面図である。図５（ｂ）には、第１端点１９１、第２端点１９２、及び変曲点Ｐ２１〜Ｐ２３のそれぞれに働く力を示す。また、図５（ａ）及び図５（ｂ）に示す第１例に係る切込み１９は、例えば、図１、図３、及び図４（ｆ）に示した切込み１９に対応する。
【００４７】
図５（ａ）及び図５（ｂ）に示すように、第１、第２端点１９１及び１９２、並びに第１〜第３変曲点Ｐ２１〜２３に、天板部１１の面に対して平行に働く力を考える。本明細書では、働く力の代表例として、ＭＤ方向、ＣＤ方向、及びＭＤ方向に対して±４５°の８つを抽出する。図中、２つの白抜き矢印は、繊維の流れを引き裂く力を示している。
【００４８】
第１、第２端点１９１及び１９２において、ＣＤ方向に沿って働く力は、一方向となる。これは、切れ目線１９３で囲まれた部分１１ｃには、荷重はかからないためである。即ち、切れ目線１９３で囲まれた部分１１ｃは天板部１１の上下に対して自由であり、反発力がない。このため、天板部１１が、例えば、下側に引っ張られると、下側にしか力が働かず、天板部１１の面に沿った力はほとんど働かない。これにより、切込み１９では、第１、第２端点１９１及び１９２のＣＤ方向に沿って働く力を一方向にでき、繊維の流れを引き裂く力が軽減されて、第１、第２端点１９１及び１９２を起点とした破断が抑制される。
【００４９】
また、例えば、ストローを切込み１９に差し込むときにも、第１、第２端点１９１及び１９２には、力が働く。紙は、ＭＤ方向に沿って裂けやすく、ＣＤ方向に沿って裂けにくい。切込み１９では、第１、第２直線部５１及び５２がＣＤ方向に延びている。第１端点１９１と第２端点１９２との間に残る天板部１１の部分１１ｄは、ＭＤ方向に沿っており、ＣＤ方向と交差する。第１例では、部分１１ｄは、例えば、ＭＤ方向と平行であり、紙目４に沿う。このため、例えば、ストローを切込み１９に差し込んだ際、第１、第２直線部５１及び５２が、第１、第２端点１９１及び１９２から延長されるように裂けてしまう事情も抑制できる。
【００５０】
このような切込み１９を有した紙蓋１によれば、例えば、ストローを切込み１９に差し込んだとき、天板部１１に“裂け”が発生する等、紙蓋１の美観を損ねてしまうような事情も抑制できる。
【００５１】
また、部分１１ｄは、ＭＤ方向に沿っている。部分１１ｄは、例えば、ＭＤ方向と平行であり、紙目４に沿っている。このような部分１１ｄを含む切込み１９によれば、例えば、ストローを用いて部分１１ｃを押し開く際に、紙の繊維を押し曲げることが抑制される。したがって、例えば、部分１１ｄがＣＤ方向に沿っている場合と比較して、部分１１ｃを押し開きやすい、という利点も得ることができる。
【００５２】
また、部分１１ｄは、ＭＤ方向に沿っている。このため、部分１１ｃを引きちぎって飲み口とする際、部分１１ｃを繊維の流れを引き裂く方向に引っ張ることとなるため、部分１１ｃを引きちぎりやすく、飲み口を作成しやすい、という利点を得ることもできる。
【００５３】
＜切込み１９ｕ：第２参考例＞
図６（ａ）及び図６（ｂ）は、第２参考例に係る切込みを示す模式平面図である。図６（ｂ）には、第１端点１９１、第２端点１９２、及び変曲点Ｐ２１〜Ｐ２３に働く力を示す。また、図６（ａ）及び図６（ｂ）に示す第２参考例に係る切込み１９ｕは、例えば、図４（ｃ）に示した切込み１９ｕに対応する。
【００５４】
図６（ａ）及び図６（ｂ）に示すように、第２参考例に係る切込み１９ｕでは、第２端点１９２は、第１端点１９１から、ＣＤ方向に沿って離れている。そして、切れ目線１９３は、第１端点１９１及び第２端点１９２のそれぞれから、ＭＤ方向に延びる。
【００５５】
切込み１９ｕによれば、第１、第２端点１９１及び１９２において、ＣＤ方向に沿って働く力は、双方向となる。このため、第１例に係る切込み１９と比較して、第１、第２端点１９１及び１９２には、繊維の流れを引き裂く力が大きく働く。したがって、切込み１９ｕでは、例えば、天板部１１の成型時、紙が、第１、第２端点１９１及び１９２を起点として破断してしまう。
【００５６】
また、仮に“切込み１９ｕを形成できた”としても、切込み１９ｕでは、第１、第２直線部５１及び５２がＭＤ方向に延び、第１端点１９１と第２端点１９２との間に残る天板部１１の部分１１ｄは、ＣＤ方向に沿っている。このため、例えば、ストローを切込み１９ｕに差し込んだとき、切込み１９と比較して、天板部１１が裂けやすい。
【００５７】
また、部分１１ｄは、ＣＤ方向に沿っているので、例えば、ストローを用いて部分１１ｃを押し開く際に、紙の繊維を、その流れに対して直交して押し曲げることになる。このため、切込み１９と比較して、部分１１ｃは、押し開き難くなる。
【００５８】
さらに、飲み口を作成する際に、繊維の流れを引っ張る方向に、部分１１ｃを引っ張ることになるので、切込み１９と比較して、飲み口を作成しにくくなる。
【００５９】
＜切込み１９ｂ：第２例＞
図７（ａ）及び図７（ｂ）は、第２例に係る切込みを示す模式平面図である。図７（ｂ）には、第１端点１９１、第２端点１９２、及び変曲点Ｐ２１〜Ｐ２３のそれぞれに働く力を示す。
【００６０】
図７（ａ）及び図７（ｂ）に示すように、第２例に係る切込み１９ｂが、第１例に係る切込み１９と異なるところは、切込み１９ｂがＭＤ方向から傾けられて、天板部１１に形成されていること、である。第２例に係る切込み１９ｂでは、切れ目線１９３は、第１端点１９１及び第２端点１９２のそれぞれから、ＭＤ方向に対して斜めに延びる。より具体的には、切れ目線１９３は、第１端点１９１から第２端点１９２の側から離れる方向に延び、第２端点１９２から、第１端点１９１の側へ向かう方向に延びる。また、第１端点１９１と第２端点１９２との間に残る天板部１１の部分１１ｄは、紙目４に対して斜めに交差する。
【００６１】
切込み１９ｂでは、第２端点１９２において、ＣＤ方向に沿って働く力は、双方向となるが、第１端点１９１では、ＣＤ方向に沿って働く力は、一方向となる。このため、第２参考例１９ｕと比較して、第１、第２端点１９１及び１９２に働く、繊維の流れを引き裂く力を弱めることができる。したがって、切込み１９ｂによれば、切込み１９ｕと比較して、例えば、天板部１１の成型時、紙が、第１、第２端点１９１及び１９２を起点として破断する可能性を、より小さくすることができる。
【００６２】
また、切込み１９ｂでは、第１、第２直線部５１及び５２がＭＤ方向に対して斜めに延び、第１端点１９１と第２端点１９２との間に残る天板部１１の部分１１ｄは、紙目４に対して斜めに交差する。このため、例えば、ストローを切込み１９ｂに差し込んだとき、切込み１９ｕと比較して、天板部１１が裂け難くなる。
【００６３】
また、部分１１ｄは、紙目４に対して斜めに交差するので、切込み１９ｕと比較して、部分１１ｃは、押し開きやすくなる。
【００６４】
＜切込み１９ｖ：第３参考例＞
図８（ａ）及び図８（ｂ）は、第３参考例に係る切込みを示す模式平面図である。図８（ｂ）には、第１端点１９１、第２端点１９２、及び変曲点Ｐ２３に働く力を示す。
【００６５】
図８（ａ）及び図８（ｂ）に示すように、第３参考例に係る切込み１９ｖが、第１例に係る切込み１９と異なるところは、平面視した切込み１９ｖの形状が、紙目４から９０°横倒しされたＶ字状であること、である。切れ目線１９３における変曲点は、第１直線部５１と第２直線部５２とが交わった点（頂点）、即ち、第３変曲点Ｐ２３の１つだけである。
【００６６】
切込み１９ｖによれば、第１、第２端点１９１及び１９２において、ＣＤ方向に沿って働く力は、第２参考例に係る切込み１９ｕと同様に、双方向となる。このため、第１例に係る切込み１９と比較して、第１、第２端点１９１及び１９２には、繊維の流れを引き裂く力が大きく働く。このように、切れ目線１９３における変曲点が１つの切込み１９ｖでは、例えば、天板部１１の成型時、紙が、第１、第２端点１９１及び１９２を起点として破断してしまう。
【００６７】
＜切込み１９ｃ：第３例＞
図９（ａ）及び図９（ｂ）は、第３例に係る切込みを示す模式平面図である。図９（ｂ）には、第１端点１９１、第２端点１９２、及び変曲点Ｐ２１〜Ｐ２３のそれぞれに働く力を示す。
【００６８】
図９（ａ）及び図９（ｂ）に示すように、第３例に係る切込み１９ｃが、第３参考例に係る切込み１９ｖと異なるところは、第１直線部５１と第２直線部５２とを曲線部５３で結び、変曲点を第１〜第３変曲点Ｐ２１〜Ｐ２３の３つに増やし、かつ、頂点を曲線としていること、である。切込み１９ｃにおいて、切れ目線１９３は、第１端点１９１から、第２端点１９２の側へ向かう方向に延び、第２端点１９２から、第１端点１９１の側へ向かう方向に延びる。
【００６９】
切込み１９ｃでは、第１、第２端点１９１及び１９２のそれぞれにおいて、ＣＤ方向に沿って働く力は双方向となる。しかし、切込み１９ｖと比較して、切れ目線１９３は、第１、第２変曲点Ｐ２１及びＰ２２を、さらに有する。第１、第２変曲点Ｐ２１及びＰ２２では、ＣＤ方向に沿って働く力は、一方向となる。このため、第３参考例１９ｖと比較して、第１、第２端点１９１及び１９２に働く、繊維の流れを引き裂く力を弱めることができる。したがって、切込み１９ｃによれば、切込み１９ｖと比較して、例えば、天板部１１の成型時、紙が、第１、第２端点１９１及び１９２を起点として破断する可能性を、より小さくすることができる。
【００７０】
また、切込み１９ｃでは、第１、第２直線部５１及び５２がＭＤ方向に対して斜めに延び、第１端点１９１と第２端点１９２との間に残る天板部１１の部分１１ｄは、ＭＤ方向に沿っている。このため、例えば、ストローを切込み１９ｃに差し込んだとき、第２参考例に係る切込み１９ｕと比較して、天板部１１が裂け難くなる。
【００７１】
また、部分１１ｄは、ＭＤ方向に沿っている。このため、切込み１９ｕと比較して、部分１１ｃは、押し開きやすく、引きちぎりやすい。
【００７２】
＜切込み１９ｄ：第４例＞
図１０（ａ）及び図１０（ｂ）は、第４例に係る切込みを示す模式平面図である。図１０（ｂ）には、第１端点１９１、第２端点１９２、及び変曲点Ｐ２１〜Ｐ２３のそれぞれに働く力を示す。
【００７３】
図１０（ａ）及び図１０（ｂ）に示すように、第４例に係る切込み１９ｄが、第１例に係る切込み１９と異なるところは、第１直線部５１と第２直線部５２とを、曲線部５３に代えて、第３、第４直線部５４及び５５で結んだこと、である。第３直線部５４は、第４直線部５５と交わる。この交わった点が頂点であり、第３変曲点Ｐ２３である。
【００７４】
切込み１９ｄでは、第１、第２端点１９１及び１９２のそれぞれにおいて、ＣＤ方向に沿って働く力は、一方向である。また、第３変曲点Ｐ２３は曲線ではなく、角部であるが、第１、第２変曲点Ｐ２１及びＰ２２のそれぞれでは、ＣＤ方向に沿って働く力は、一方向である。このような切込み１９ｄにおいても、例えば、天板部１１の成型時、紙が、第１、第２端点１９１及び１９２を起点とした破断が抑制される。
【００７５】
＜切込み１９ｅ：第５例＞
図１１（ａ）及び図１１（ｂ）は、第５例に係る切込みを示す模式平面図である。図１１（ｂ）には、第１端点１９１、第２端点１９２、及び変曲点Ｐ２１、Ｐ２２のそれぞれに働く力を示す。
【００７６】
図１１（ａ）及び図１１（ｂ）に示すように、第５例に係る切込み１９ｅが、第１例に係る切込み１９と異なるところは、第１直線部５１と第２直線部５２とを、曲線部５３に代えて、第３直線部５４で結んだこと、である。切込み１９ｅでは、頂点はないが、切れ目線１９３は、２つの第１、第２変曲点Ｐ２１及びＰ２２を有する。また、第３直線部５４は、ＭＤ方向に沿っている。例えば、第３直線部５４は、ＭＤ方向と平行である。
【００７７】
切込み１９ｅでは、第１端点１９１、第２端点１９２、第１変曲点Ｐ２１、及び第２変曲点Ｐ２２のそれぞれにおいて、ＣＤ方向に沿って働く力は、一方向である。このため、第３直線部５４は、ＭＤ方向と平行に形成した、としても、繊維の流れを引き裂く力を軽減することができる。したがって、切込み１９ｅにおいても、第１、第２端点１９１及び１９２を起点とした破断が抑制される。
【００７８】
＜切込み１９ｆ：第６例＞
図１２（ａ）及び図１２（ｂ）は、第６例に係る切込みを示す模式平面図である。図１２（ｂ）には、第１端点１９１、第２端点１９２、及び変曲点Ｐ２１〜Ｐ２３のそれぞれに働く力を示す。
【００７９】
図１２（ａ）及び図１２（ｂ）に示すように、第６例に係る切込み１９ｆが、第１例に係る切込み１９と異なるところは、第１端点１９１と第２端点１９２とを、曲線部５３で結んだこと、である。曲線部５３は、例えば、円である。もちろん楕円状であってもよい。円には、本来、変曲点はない。しかし、本明細書では、切れ目線１９３における変曲点は、曲線上の点において、接線が紙目と平行又は垂直となる点を含む、と定義している。このため、切れ目線１９３は、第１〜第３変曲点Ｐ２１〜Ｐ２３を有する。第１変曲点Ｐ２１は、曲線部５３のＭＤ方向の一方の点であり、第２変曲点Ｐ２２は、曲線部５３のＭＤ方向の他方の点である。第３変曲点Ｐ２３は、曲線部５３のＣＤ方向の点である。また、切込み１９ｆでは、切れ目線１９３は、第１端点１９１から、第２端点１９２の側から離れる方向に延び、第２端点１９２から、第１端点１９１の側から離れる方向に延びる。
【００８０】
切込み１９ｆでは、第１、第２端点１９１及び１９２において、ＣＤ方向に沿って働く力は、一方向である。このため、第１端点１９１と第２端点１９２とを、曲線部５３で結んだ、としても、繊維の流れを引き裂く力を軽減することができる。したがって、切込み１９ｆにおいても、第１、第２端点１９１及び１９２を起点とした破断が抑制される。
【００８１】
次に、紙蓋の製造方法の一例を説明する。
（紙蓋の製造方法）
＜加工機の一例＞
図１３は、この発明の一実施形態に係る紙蓋の製造に使用可能な加工機の一例を示す模式断面図である。
【００８２】
図１３に示すように、加工機１００は、ドローダイ１１０と、ブランクホルダー１２０と、ドローパンチ１３０と、プランジャー１４０と、を備えている。
【００８３】
ドローダイ１１０は、プランジャーガイドホール１１１と、載置面１１２とを有する。プランジャーガイドホール１１１は、例えば、円形のホールである。載置面１１２は、プランジャーガイドホール１１１の外側に設けられている。載置面１１２は、ブランクホルダー１２０と向き合う。載置面１１２は、ブランク１０を載置することが可能な面である。
【００８４】
ブランクホルダー１２０は、パンチガイドホール１２１と、押さえ面１２２とを有する。パンチガイドホール１２１は、円形のホールである。押さえ面１２２は、パンチガイドホール１２１の外側に設けられている。押さえ面１２２は、載置面１１２と向き合う。ブランクホルダー１２０は、載置面１１２上に載置されたブランク１０を押さえる。
【００８５】
ドローパンチ１３０は、パンチガイドホール１２１内を、上昇方向ＺＵ及び下降方向ＺＤのそれぞれの方向に移動可能である。上昇方向ＺＵ及び下降方向ＺＤのそれぞれは、載置面１１２と交差、例えば、直交する。下降方向ＺＤは、上昇方向ＺＵと反対向きである。ドローパンチ１３０の先端部分には、環状突起部１３１が設けられている。環状突起部１３１は、例えば、ドローパンチ１３０のパンチ面１３２から、囲壁状に突き出ている。これにより、ドローパンチ１３０の先端部分には、環状突起部１３１で囲まれ、パンチ面１３２を底とした窪み１３３が得られる。環状突起部１３１は、プランジャーガイドホール１１１の内周面と、クリアランスを設けて嵌合可能である。環状突起部１３１の先端は、曲面となっている。
【００８６】
プランジャー１４０は、プランジャーガイドホール１１１内を、上昇方向ＺＵ及び下降方向ＺＤのそれぞれの方向に移動可能である。プランジャー１４０の先端部分には、縮径部１４１が設けられている。縮径部１４１の直径Ｄ１は、プランジャー１４０の基径部１４２の直径Ｄ２よりも小さい。縮径部１４１は、環状突起部１３１と、クリアランスを設けて嵌合可能である。
【００８７】
加工機１００は、例えばプレス機である。例えば、図４に示されるような加工機１００を使用することで、ブランク１０から、内嵌合部１２及び外嵌合部１４のそれぞれを備えた紙蓋１を、製造することができる。
【００８８】
図１４、図１５（ａ）〜図１５（ｄ）、及び図１６（ａ）〜図１６（ｄ）は、この発明の一実施形態に係る紙蓋を製造する製造方法の一例を示す模式断面図である。図１４、図１５（ａ）〜図１５（ｄ）、及び図１６（ａ）〜図１６（ｄ）のそれぞれには、ブランク１０の模式断面と加工機１００の模式断面とが示されている。
【００８９】
図１４に示すように、ブランク１０を、ドローダイ１１０の載置面１１２上に載置する。なお、この説明では、載置面１１２の位置を基準位置ＲＰとする。
【００９０】
次に、図１５（ａ）に示すように、ブランクホルダー１２０を、下降方向ＺＤに移動させ、ブランク１０の周縁領域１０ｂを、ブランクホルダー１２０の押さえ面１２２で押さえる。
【００９１】
図１７（ａ）及び図１７（ｂ）は、ブランク１０、ドローダイ、及びブランクホルダーのそれぞれを部分的に拡大して示す模式断面図である。図１７（ａ）は、ブランク１０が載置面１１２上に載置された状態を示し、図１７（ｂ）は、周縁領域１０ｂが押さえ面１２２で押さえられた状態を示す。
【００９２】
図１７（ｂ）に示すように、ブランク１０を押さえ面で押さえた際、載置面１１２と押さえ面１２２との間には、第１クリアランス１５１が設けられる。第１クリアランス１５１の幅Ｗ１は、ブランク１０の紙厚Ｔ１０（図１７（ａ））よりも、例えば小さく設定される。これにより、ブランク１０はつぶれ、ブランク１０に“しわ抑え”を実施することが可能となる。なお、ブランクホルダー１２０には、“しわ抑え”のための荷重が与えられてもよく、第１クリアランスの幅Ｗ１は、ブランク１０の紙厚Ｔ１０と同等、又は紙厚Ｔ１０より大きくてもよい。
【００９３】
次に、図１５（ｂ）に示すように、ドローパンチ１３０を、ブランク１０へ向かう下降方向ＺＤに移動させる。これにより、ドローパンチ１３０は、例えば、環状突起部１３１の先端が、ほぼ基準位置ＲＰに達するように下降される。これにより、環状突起部１３１の先端は、ブランク１０の表面と接する、又は近接される。なお、図１５（ｂ）に示す状態では、ブランク１０の中央領域１０ｃは、ドローパンチ１３０と、プランジャー１４０との間に位置する。
【００９４】
次に、図１５（ｃ）に示すように、プランジャー１４０を、ブランク１０へ向かう上昇方向ＺＵに移動させる。これにより、プランジャー１４０は、縮径部１４１の先端が、基準位置ＲＰを超えるように上昇される。縮径部１４１が、例えば、基準位置ＲＰを超えてくると、縮径部１４１は、窪み１３３の中へ進出する。これにより、ブランク１０の中央領域１０ｃは、窪み１３３の中に、縮径部１４１によって押し込まれる。押し込み量は、本実施形態では、約１０ｍｍである。なお、押し込み量は、紙蓋１のサイズや、紙蓋１の用途に応じて様々に変更される。
【００９５】
このようにして、周縁領域１０ｂを押さえ面１２２で押さえながら、中央領域１０ｃを窪み１３３の中に押し込む。これにより、周縁領域１０ｂを“しわ抑え”しつつ、内嵌合部１２を、中央領域１０ｃに“絞り成型”を用いて形成できる。
【００９６】
図１８（ａ）及び図１８（ｂ）は、ドローダイ１１０、ブランクホルダー１２０、環状突起部１３１、及びプランジャー１４０のそれぞれを部分的に拡大して示す模式断面図である。図１８（ａ）は、押し込み前の状態を示し、図１８（ｂ）は、押し込み中の状態を示す。
【００９７】
図１８（ａ）及び図１８（ｂ）に示すように、プランジャーガイドホール１１１は、例えば曲面加工部１１３を含む。曲面加工部１１３は、プランジャーガイドホール１１１のブランクホルダー１２０側の部分に設けられている。曲面加工部１１３は、例えば、プランジャーガイドホール１１１及びパンチガイドホール１２１それぞれに向かって凸となる曲面となっている。また、環状突起部１３１の先端は、プランジャーガイドホール１１１に向かって凸となる曲面となっている。
【００９８】
図１８（ｂ）に示すように、縮径部１４１と環状突起部１３１との間には、第２クリアランス１５２が設けられる。第２クリアランス１５２の幅Ｗ２は、ブランク１０の紙厚Ｔ１０（図２１（ａ））と同等、もしくは紙厚Ｔ１０よりも、小さく設定される（Ｗ２≦Ｔ１０）。これにより、周縁領域１０ｂを“しわ抑え”しつつ、内嵌合部１２を、中央領域１０ｃに“しごき成型”を用いて形成できる。
【００９９】
なお、本明細書において、“絞り成型”とは、金型（ドローダイ１１０、ブランクホルダー１２０、ドローパンチ１３０、及びプランジャー１４０）間のクリアランスが、ブランク１０の紙厚Ｔ１０と同等、もしくは紙厚Ｔ１０より大きく設定され、そのようなクリアランスに、ブランク１０が通されて成型されること、と定義する。また、“しごき成型”とは、金型間のクリアランスが、どこか１箇所でも、上記紙厚Ｔ１０よりも小さく設定され、そのようなクリアランスに、ブランク１０が通されて成型されること、と定義する。
【０１００】
内嵌合部１２を、“絞り成型”、又は“しごき成型”を用いて形成する際には、プランジャー１４０に、第１成型荷重Ｆ１が与えられる。第１成型荷重Ｆ１の付与方向は、上昇方向ＺＵである。第１成型荷重Ｆ１の値の１つの例は、例えば、約３ｋＮである。第１成型荷重Ｆ１の大きさも、紙蓋１のサイズや、紙蓋１の用途に応じて様々に変更される。第１成型荷重Ｆ１は、荷重機（図示せず）からプランジャーに与えられる。荷重機の例としては、弾性体を介して荷重を対象物に与える荷重機を挙げることができる。そのような荷重機の例としては、エアーシリンダーを挙げることができる。エアーシリンダーは、弾性体としてエアーを含む。なお、荷重機は、プランジャー１４０を、上昇方向ＺＵや、下降方向ＺＤに移動させる移動機構としても使用される。
【０１０１】
また、“しごき成型”を用いて、内嵌合部１２を形成しているとき、第１外表面１２ｅには圧縮力Ｃが加わり、内嵌合面１２ｆには引張力Ｔが加わる。
【０１０２】
次に、図１５（ｄ）に示すように、ドローパンチ１３０を、ブランク１０へ向かう下降方向ＺＤに移動させる。下降方向ＺＤは、上昇方向ＺＵと反対向きである。これにより、ドローパンチ１３０は、環状突起部１３１の先端が、基準位置ＲＰを超えるように下降される。ドローパンチ１３０は、ブランク１０を、プランジャー１４０とともに、プランジャーガイドホール１１１の中へ押し込む。押し込み量は、本実施形態では、基準位置ＲＰから約１０ｍｍである。なお、押し込み量は、紙蓋１のサイズや、紙蓋１の用途に応じて様々に変更される。
【０１０３】
このようにして、周縁領域１０ｂを押さえ面１２２で押さえながら、中央領域１０ｃをプランジャー１４０とともに、プランジャーガイドホール１１１の中に押し込む。これにより、周縁領域１０ｂを“しわ抑え”しつつ、外嵌合部１４を、中央領域１０ｃに“絞り成型”を用いて形成できる。また、外嵌合部１４が形成されるとともに、周縁領域１０ｂには、フランジ部１５が形成される。
【０１０４】
図１９は、ドローダイ１１０、ブランクホルダー１２０、環状突起部１３１、及び縮径部１４１のそれぞれを部分的に拡大して示す模式断面図である。図１９は、押し込み後、又は押し込み中の状態を示す。
【０１０５】
図１９に示すように、環状突起部１３１とプランジャーガイドホール１１１との間には、第３クリアランス１５３が設けられる。第３クリアランス１５３の幅Ｗ３は、ブランク１０の紙厚Ｔ１０（図１６（ａ））と同等、もしくは紙厚Ｔ１０よりも、小さく設定される（Ｗ３≦Ｔ１０）。これにより、周縁領域１０ｂを“しわ抑え”しつつ、外嵌合部１４を、中央領域１０ｃに“しごき成型”を用いて形成できる。
【０１０６】
外嵌合部１４を、“絞り成型”、又は“しごき成型”を用いて形成する際には、ドローパンチ１３０に、第２成型荷重Ｆ２が与えられる。第２成型荷重Ｆ２の付与方向は、下降方向ＺＤである。第２成型荷重Ｆ２の付与方向は、第１成型荷重Ｆ１の付与方向と反対向きである。第２成型荷重Ｆ２の値の１つの例は、例えば、約６．５ｋＮである。第２成型荷重Ｆ２の大きさも、紙蓋１のサイズや、紙蓋１の用途に応じて様々に変更される。第２成型荷重Ｆ２は、荷重機（図示せず）からプランジャーに与えられる。荷重機の例としては、機械的に荷重を対象物に与えることが可能な荷重機を挙げることができる。そのような荷重機の例としては、サーボプレスを挙げることができる。サーボプレスは、サーボモータを含む。なお、荷重機は、ドローパンチ１３０を、下降方向ＺＤや、上昇方向ＺＵに移動させる移動機構としても使用される。また、サーボモータを用いると、例えば、ドローパンチ１３０を、２段階で精密に下降制御することができる。第１段階は、基準位置ＲＰまでの下降であり、第２段階は、基準位置ＲＰを超え最終下降位置までのより精密な下降である。サーボモータによれば、ドローパンチ１３０を、最終下降位置で確実に停止させ、保持できる。
【０１０７】
また、“しごき成型”を用いて、外嵌合部１４を形成しているとき、第２外表面１４ｅには圧縮力Ｃが加わり、外嵌合面１４ｆには引張力Ｔが加わる。
【０１０８】
さらに、“しごき成型”を用いて、外嵌合部１４を形成しているとき、第１外表面１２ｅには圧縮力Ｃが加わり、内嵌合面１２ｆには引張力Ｔが加わる。
【０１０９】
第２成型荷重Ｆ２の大きさは、第１成型荷重Ｆ１よりも大きくしてもよい。この場合、プランジャー１４０がエアーシリンダー等の弾性体を含む移動機構もしくは荷重機で支えられていると、第２成型荷重Ｆ２と第１成型荷重Ｆ１との差分で、プランジャー１４０を押し下げることができる。このため、型締めした状態（中央領域１０ｃをドローパンチ１３０とプランジャー１４０とで挟み込んだ状態）を維持したまま、環状突起部１３１の先端をプランジャーガイドホール１１１の中に押し込むことができる。しかも、プランジャー１４０は、ドローパンチ１３０で押し下げられるため、プランジャー１４０の位置制御が不要になる、という利点を得ることもできる。
【０１１０】
外嵌合部１４を形成する際、載置面１１２と押さえ面１２２との間に周縁領域１０ｂを残しながら、中央領域１０ｃを、プランジャー１４０とともに、プランジャーガイドホール１１１の中に押し込む。これにより、紙蓋１の周縁領域１０ｂに、フランジ部１５を形成することができる。紙蓋１がフランジ部１５を備えていると、紙蓋１の取り外し工程において、以下のような紙蓋１の取り外しを行うことができる。
【０１１１】
図１６（ａ）に示すように、フランジ部１５を押さえ面１２２で押さえながら、プランジャー１４０を、下降方向ＺＤに移動させる。これにより、プランジャー１４０が、紙蓋１から離脱される。ドローパンチ１３０は、最終下降位置で保持されている。このため、ドローパンチ１３０は、中央領域１０ｃと、例えば接したままである。ドローパンチ１３０を最終下降位置で保持しておけば、プランジャー１４０を紙蓋１から離脱させても、紙蓋１が落下することはない。
【０１１２】
次に、図１６（ｂ）に示すように、ドローパンチ１３０を最終下降位置で保持しながら、ブランクホルダー１２０を、上昇方向ＺＵに移動させる。これにより、ブランクホルダー１２０が、紙蓋１から離脱される。次いで、ブランクホルダー１２０を、フランジ部１５と押さえ面１２２との間に第４クリアランス１５４を設けて待機させる。
【０１１３】
次に、図１６（ｃ）に示すように、ドローパンチ１３０を、上昇方向ＺＵに移動させる。このとき、環状突起部１３１は、環状凹部１６に食い込んでいることが多い。環状突起部１３１が環状凹部１６に食い込んでいると、紙蓋１は、ドローパンチ１３０にくっ付いた状態で上昇方向ＺＵに移動する。
【０１１４】
次に、図１６（ｄ）に示すように、ドローパンチ１３０を、上昇方向ＺＵにさらに移動させる。ドローパンチ１３０を、上昇方向ＺＵにさらに移動させることで、フランジ部１５を、押さえ面１２２と再接触させることができる。環状突起部１３１は、フランジ部１５が押さえ面１２２によって支持されながら、環状凹部１６から抜き出されていく。やがて、紙蓋１は、ドローパンチ１３０から離脱する。これにより、紙蓋１は、加工機１００から取り外すことが可能な状態となる。
【０１１５】
このように、外嵌合部１４を、載置面１１２と押さえ面１２２との間に周縁領域１０ｂを残しながら、中央領域１０ｃに形成することで、紙蓋１に、フランジ部１５を形成することができる。また、ブランクホルダー１２０を、フランジ部１５と押さえ面１２２との間に第４クリアランス１５４を設けて待機させ、フランジ部１５を、押さえ面１２２と再接触させることで、たとえ、環状突起部１３１が環状凹部１６に食い込んでいたとしても、紙蓋１をドローパンチ１３０から簡単に取り外すことができる。ドローパンチ１３０には、例えば、紙蓋１を離脱させるためのノックアウト等の取り外し機構を設ける必要もない。
【０１１６】
このような製造方法に従うことにより、紙蓋１に、天板部１１と、内嵌合部１２と、頂部１３と、外嵌合部１４と、フランジ部１５と、を形成することができる。
【０１１７】
図２０（ａ）及び図２０（ｂ）は、切込みが形成されたブランクの一例を示す模式平面図である。
【０１１８】
図２０（ａ）に示すように、切込み１９は、ブランク１０をドローダイ１１０の載置面１１２上に載置する前に、例えば、ブランク１０に予め形成しておく。このように切込み１９を、例えば、ブランク１０に形成した状態でブランク１０を成型加工し、図２０（ｂ）に示すように、ブランク１０に、天板部１１、天板部１１の外側周囲に内嵌合部１２、及び内嵌合部１２の外側周囲に外嵌合部１４の順に成型する。図２０（ｂ）に示す例では、天板部１１、天板部１１の外側周囲に順次、内嵌合部１２、頂部１３、外嵌合部１４、及びフランジ部１５のそれぞれを成型する。このように、切込み１９によれば、切込み１９が、内嵌合部１２を成型する前に天板部１１に形成されたとしても、天板部１１の破断が抑制される。したがって、切込み１９を有する天板部１１、内嵌合部１２、及び外嵌合部１４のそれぞれを備えた紙蓋を、天板部１１を破断させることなく形成することができる。
【０１１９】
また、図２０（ａ）及び図２０（ｂ）に示すように、例えば、扁平なブランク１０に対して切込み１９を形成してから、ブランク１０を成型加工し、内嵌合部１２、頂部１３、外嵌合部１４、及びフランジ部１５のような凹凸を形成する。これにより、例えば、内嵌合部１２、頂部１３、外嵌合部１４、及びフランジ部１５のような凹凸を持つ紙蓋に対して切込み１９を形成する場合と比較して、切込み１９を形成しやすくでき、紙蓋の生産性を向上させることができる。
【０１２０】
ただし、切込み１９は、ブランク１０に、天板部１１と、内嵌合部１２と、頂部１３と、外嵌合部１４と、フランジ部１５と、を成型した後に、天板部１１に形成することも可能である。
【０１２１】
以下、紙蓋１の一例を、さらに詳細に説明する。
【０１２２】
＜フランジ部＞
【０１２３】
図２１（ａ）は、第４参考例に係る紙蓋を示す模式断面図である。図２１（ｂ）は、この発明の一実施形態に係る紙蓋の一例を示す模式断面図である。図２１（ａ）及び図２１（ｂ）に示す断面は、例えば、図２に示した断面に相当する。
【０１２４】
図２１（ａ）に示すように、第４参考例に係る紙蓋１ｃでは、外嵌合部１４が、紙蓋１の末端１０ａを含む。即ち、紙蓋１にはフランジ部１５がない。末端１０ａは自由端である。このため、外嵌合部１４には残存応力により元の形状へ戻ろうとする力が働くので、外に開きやすい。したがって、紙蓋１ｃは、紙容器２から外れやすくなる。
【０１２５】
図２１（ｂ）に示すように、一実施形態に係る紙蓋１では、フランジ部１５があり、フランジ部１５が末端１０ａを含む。末端１０ａは、参考例と同様に自由端である。しかし、紙蓋１では、外嵌合部１４からフランジ部１５にかけて、円周方向全てに肩部１８が存在する。肩部１８は、例えば絞られており、縮んでいる。縮んだ肩部１８には、そのままの形状で留まる力が働くので、外嵌合部１４が元の形状へ戻ろうとする力に対する抑制力となる。また、紙蓋１のフランジ部１５にはしわ抑えの効果により、圧縮されてさらに潰された、後述するしわが入っている。このしわにより、フランジ部１５には、そのままの形状で留まる力が働く。さらに、フランジ部１５は、円周方向全てに設けられているので、円周全てを固定する力となり、外嵌合部１４が戻ろうとする力に対する抑制力として働く。したがって、紙蓋１は、外に開きにくく、紙蓋１ｃに比較して、紙容器２から外れにくくなる。
【０１２６】
また、紙容器２が環状凹部１６に嵌合され、外嵌合部１４が、一旦外に開いても、絞られた肩部１８は、成型後の形に復帰しようとする性質が、紙蓋１ｃの末端１０ａよりも強い。このため、紙蓋１は、紙蓋１ｃと比較して、紙容器２との着脱を繰り返しても嵌合力が落ちにくい。
【０１２７】
紙蓋１によれば、内嵌合部１２及び外嵌合部１４のそれぞれを備えているので、内嵌合部１２のみ、又は外嵌合部１４のみを備えた紙蓋と比較して、紙容器２と、より強固に嵌合させることが可能である。そして、紙蓋１は、フランジ部１５が備えられているので、フランジ部１５がない紙蓋と比較して、紙容器２から外れにくくなる。
【０１２８】
＜傾斜部形状＞
図２２は、この発明の一実施形態に係る紙蓋の一例を示す模式断面図である。図２２に示す断面は、例えば、図２に示した断面に相当する。
【０１２９】
図２２に示すように、一実施形態に係る紙蓋１では、少なくとも外嵌合部１４の一部が、内嵌合部１２側に向かって傾斜している傾斜部１４ａを有する。紙蓋１では、傾斜部１４ａが、外嵌合部１４の全周にわたって設けられている。
【０１３０】
図２３（ａ）〜図２３（ｃ）は、一実施形態に係る紙蓋の一例を、製造工程順に示す模式断面図である。
【０１３１】
図２３（ａ）に示すように、内嵌合部１２だけを“絞り成型”すると、金型から外した後、ブランク１０のスカート部分（例えば、周縁領域１０ｂに対応する）は、残存応力により、通常、外に開く（元の扁平な形状に戻ろうとする）。
【０１３２】
次に、図２３（ｂ）に示すように、内嵌合部１２と外嵌合部１４とを成型すると、金型から外した後は、内嵌合部１２が外に開こうとするため、外嵌合部１４の裾１４ｂは、相対的に頂部１３の下方に入る。ここで、フランジ部１５が無いと、外嵌合部１４は、図２１（ａ）に示した形状に戻ろうとする。このため、一旦、頂部１３の下方に入った裾１４ｂは、頂部１３の下方から出ていく。裾１４ｂが、頂部１３の下方に入った状態は、維持できない。
【０１３３】
そこで、図２３（ｃ）に示すように、裾１４ｂをフランジ形状に残し、フランジ部１５を紙蓋１に形成する。フランジ部１５にはしわ抑えの効果により、圧縮されてさらに潰されたしわが入っている。このしわにより、フランジ部１５にはそのままの形状で留まる力が働く。さらに、フランジ部１５は、円周方向全てに設けられているため、円周全てを固定する力となるので、外嵌合部１４が、図２１（ａ）に示した形状に戻ることが抑制される。しかし、外嵌合部１４の上部１４ｃには、外に開く力を抑制する力が働いていない。このため、上部１４ｃは、外に開く。反対に、外嵌合部１４の下部１４ｄには、外に開く力を抑制する力が、フランジ部１５によって働く。このため、下部１４ｄは外に開きにくくなる。この結果、裾１４ｂが、頂部１３の下方に入った状態が維持される。これにより、外嵌合部１４に、傾斜部１４ａを付与することができる。
【０１３４】
このような紙蓋１によれば、外嵌合部１４が、傾斜部１４ａを有するので、傾斜部１４ａがない紙蓋と比較して、紙蓋１を紙容器２へ、さらに強固に嵌合させることができる。したがって、紙蓋１を、紙容器２から、さらに外れにくくすることができる。
【０１３５】
また、傾斜部１４ａは、内嵌合部１２側に向かって凸となる曲面からなる。このような紙蓋１によれば、傾斜部１４ａの曲面が、人の指先にフィットするので、紙蓋１を持ちやすくなる。したがって、紙蓋１が紙容器２と強固に嵌合されていたとしても、紙蓋１を紙容器２から取り外しやすい、という利点を、さらに得ることができる。
【０１３６】
また、傾斜部１４ａを外嵌合部１４の全周にわたって設けることで、傾斜部１４ａが外嵌合部１４の全周にない紙蓋と比較して、紙蓋１と紙容器２との嵌合力を、さらに高めることができる。
【０１３７】
また、図２２に示すように、一実施形態に係る紙蓋１では、第１方向Ｘ１と直交する第６方向Ｚ６において、天板部１１の位置Ｐ１１は、頂部１３の位置Ｐ１３とフランジ部１５の位置Ｐ１５との間にある。
【０１３８】
このような紙蓋１によれば、紙蓋１を、例えばテーブル３の上に置いたとしても、容器面１１ｂは、テーブル面３１と接触しない。このような紙蓋１は、衛生的である。
【０１３９】
また、頂部１３は、第２方向Ｚ２に向かって凸となる曲面を含む。このような頂部１３は、カール部２２が環状凹部１６に進入した後、外嵌合部１４をカール部２２（図２参照）に押さえつける。このため、紙蓋１を紙容器２に、より強固に嵌合させることが可能となる。
【０１４０】
＜内嵌合部１２の高さと、外嵌合部１４の外径との関係＞
図２４（ａ）は、この発明の一実施形態に係る紙蓋の一例を示す模式断面図である。図２４（ｂ）は、この発明の一実施形態に係る紙蓋の一例に嵌合可能な紙容器を示す模式断面図である。
【０１４１】
紙容器２に収容する内容物が液体とし、液体を収容した紙容器２を、紙蓋１で蓋をした、と仮定する。この仮定において、紙容器２が、例えば倒れたとき、内嵌合部１２の深さが浅いと、液体が漏れ出る可能性がある。そこで、発明者らは、紙容器２が倒れた、もしくは倒れた状態で長時間放置されたとしても、液体が漏れ出にくくなる内嵌合部１２の高さを調べた。
【０１４２】
図２４（ａ）及び図２４（ｂ）に示すように、内嵌合部１２の高さＨは、天板部１１の天面１１ａから頂部１３の頂点までの高さＨとした。なお、本来ならば、内嵌合部１２の高さとしては、実際にシールとして機能する部分の高さ（内嵌合部１２が容器部内周面２１に接触する最深接触箇所から、カール部２２の頂点）が選ばれるべきである。しかし、紙蓋１から判断できるように、内嵌合部１２の高さは、便宜上、上記の通りとした。高さＨは、実際に上記シールとして機能する部分の高さと差異はあるが、差異は僅かであり、実質的に等しい。
【０１４３】
図２５は、テーパー角θと割合Ｐとの関係を示す図である。テーパー角θは、紙容器２の側面が、外に開く角度である。テーパー角θは、例えば、紙容器２の容器部底板２３に対する垂線２４からの傾き角である。割合Ｐは、上記高さＨの、外嵌合部１４の外径Ｄに対する割合である（Ｐ＝（Ｈ／Ｄ）×１００％）。
【０１４４】
図２５に示すように、発明者らは、テーパー角θごとに、紙蓋１の漏れ試験を実施した。内容物は、コーヒー（温度５℃±２℃）である。紙容器２の傾け角度は、９０°である（横倒し）。内容物を収容した紙容器２を９０°傾けた状態で、６０ｓｅｃ保持した。
【０１４５】
漏れ試験において、内容物の状態は、以下の３つをとる。
Poor：  漏れ出る
Good：  環状凹部１６内に僅かな滲みが認められるが、漏れ出ることはない
Excellent：  滲み及び漏れのいずれもなし
紙蓋１は、状態“Good”又は状態“Excellent”となると、紙容器２が倒れても内容物の漏れを抑制でき、紙蓋１が、より実用的なものとなる。
【０１４６】
図２５中に示すプロット点（“◇”で表示）は、状態“Good”となったときの割合Ｐである。
テーパー角θが約４°１５´のとき、割合Ｐが約２３．８％で状態“Good”となった（“i”参照）。
テーパー角θが約５°のとき、割合Ｐが約１７．１％で状態“Good”となった（“ii”参照）。
テーパー角θが約６°１５´のとき、割合Ｐが約１３．１％で状態“Good”となった（“iii”参照）。
テーパー角θが約７°３０´のとき、割合Ｐが約７．７％で状態“Good”となった（“ｉｖ”参照）。
【０１４７】
なお、漏れ試験は、６０ｓｅｃという長い時間をかけて行われている。このため、実使用においては、割合Ｐは、上記値から、例えば、約−２％程度までは許容可能であろう。
【０１４８】
漏れ試験の結果から、高さＨの、外嵌合部１４の外径Ｄに対する割合Ｐ（Ｐ＝（Ｈ／Ｄ）×１００％）は、少なくとも約６％あれば、紙容器２が倒れても内容物の漏れを抑制することが可能である。
【０１４９】
このように、割合Ｐが、例えば、少なくとも６パーセントとなる紙蓋１を製造しておき、この紙蓋１にあった紙容器２が選ばれればよい。
【０１５０】
割合Ｐは、上記の値以上とすることも可能である。例えば、テーパー角θが約７°３０´のとき、割合Ｐを約１１．６％へ高めると、内容物の状態を、状態“Good”から状態“Excellent”にできる（“ｖ”参照）。状態“Excellent”となれば、紙容器２が倒れても、漏れ及び滲みのそれぞれを抑制することが可能な紙蓋１を得ることができる。割合Ｐの上限は常識的な値が選ばれればよい。一例を挙げるなら、割合Ｐの上限は、約１００％であろう。この場合、高さＨは外径Ｄとほぼ等しい。
【０１５１】
＜紙蓋１と紙容器２との組み合わせ＞
また、漏れ試験からは、テーパー角θが０°に近づくにつれ、状態“Poor”から状態“Good”にできる割合Ｐが高まる傾向が確認された。紙蓋１と紙容器２との組み合わせを最適化するには、例えば、以下のようにするとよい。
【０１５２】
紙蓋１に嵌合される容器、例えば紙容器２のテーパー角をθとしたとき、割合Ｐ（Ｐ＝（Ｈ／Ｄ）×１００）の値は、下記（１）式
Ｐ＝−４θ＋３６  …（１）
から導かれる値以上の値が選ばれる。
【０１５３】
このように、紙容器２のテーパー角θに応じて、紙蓋１の割合Ｐを選ぶことで、紙容器２に最適な紙蓋１を選ぶことができる。
【０１５４】
＜紙容器２の口外径Ｄ２２と外嵌合部１４の外径Ｄとの関係＞
紙容器２の口外径Ｄ２２は、外嵌合部１４の外径Ｄよりも大きくてもよい。この場合、フランジ部１５の外径Ｄ１５は、口外径Ｄ２２よりも大きいことが好ましい。
【０１５５】
さらに、フランジ部１５は、平面、例えば、テーブル３上に置いたとき、フランジ部１５がテーブル面３１から起立するようにすることが好ましい（図１９参照）。即ち、図２２に示すように、フランジ部１５が延びる第５方向Ｘ５は、紙蓋１の末端１０ａどうしを接続する仮想線１０ｄに対して交差、かつ、紙容器２に向かう方向に向く。このようにすれば、たとえ、口外径Ｄ２２が外径Ｄよりも大きくても、フランジ部１５が、カール部２２を、環状凹部１６の中へ誘い込む。フランジ部１５は、カール部２２のガイドとして役立つ。このように、外径Ｄよりも大きい口外径Ｄ２２を持つ紙容器２を、外嵌合部１４で嵌合することで、紙蓋１の外嵌合力を、より高めることができる。
【０１５６】
さらに、頂部１３は、第２方向Ｚ２に向かって凸となる曲面を含むことが好ましい。このような曲面を頂部１３が含むことで、カール部２２が、フランジ部１５によって環状凹部１６の中へ誘い込まれる際、外嵌合部１４が外に開きやすくなる。このため、紙蓋１は、紙容器２に取り付けやすくなる。
【０１５７】
しかも、第２方向Ｚ２に向かって凸となる曲面を含む頂部１３は、カール部２２が、環状凹部１６に進入した後、外嵌合部１４をカール部２２に押さえつける。このため、紙蓋１を紙容器２に、より強固に嵌合させることもできる。
【０１５８】
＜紙蓋のしわ＞
【０１５９】
図２６（ａ）は、この発明の一実施形態に係る紙蓋の一例を示す模式斜視図である。図２６（ｂ）は、図２６（ａ）に示す模式斜視図の一部を切り欠いて示す模式斜視図である。
【０１６０】
図２６（ａ）及び図２６（ｂ）に示すように、紙蓋１の内嵌合部１２の内面は、天板部１１（詳細には、内嵌合部１２と天板部１１との境界（変曲点Ｐ１））から第２方向Ｚ２に向かって少なくとも３ｍｍ以内の範囲においては、しわ１７がなく、３ｍｍを超えるとしわ１７がある。これにより、紙容器２の容器部内周面２１と接する内嵌合部１２の内面からは、しわ１７がなくなる。このため、紙蓋１を紙容器２に嵌合させたとき、内容物の漏れの原因となる隙間が、紙容器２の容器部内周面２１と、内嵌合部１２の内面との間に発生しなくなる。したがって、内容物の漏れを抑制できる。他方、内嵌合部１２の外面には、しわ１７が存在している。
【０１６１】
また、頂部１３には、内面及び外面ともに、細かいしわ１７が多数存在している。これにより、外嵌合部１４を成型する際に、ブランク１０を第４方向Ｚ４（第２方向Ｚ２と反対の方向）へ引っ張っても、頂部１３の外面のしわ１７が伸び代となり、頂部１３でブランク１０が破れることなく、紙蓋１を成型することが可能になる。
【０１６２】
また、外嵌合部１４には、内面及び外面ともに、細かいしわ１７が多数存在している。
【０１６３】
また、フランジ部１５には、内面及び外面ともに、細かいしわ１７が多数存在している。
【０１６４】
図２７（ａ）は、フランジ部１５の末端を示す図面代用写真である。図２７（ｂ）は、図２７（ａ）に示す図面代用写真の撮影方向を示す模式断面図である。図２８（ａ）は、フランジ部１５の外面を示す図面代用写真である。図２８（ｂ）は、図２８（ａ）に示す図面代用写真の撮影方向を示す模式断面図である。
【０１６５】
図２７（ａ）には、図２７（ｂ）に示す撮影方向ＳＤから撮影したフランジ部１５の末端１０ａの様子が示されている。フランジ部１５では、外面側と内面側とで異なる位置にしわ１７が入っている。つまり、外面側の隣り合う２つのしわ１７の間において、内面側にしわ１７が１つ入っており、内面側に隣り合う２つのしわ１７の間において、外面側にしわ１７が１つ入っている。
【０１６６】
また、図２８（ａ）には、図２８（ｂ）に示す撮影方向ＳＤから撮影したフランジ部１５の外面の様子が示されている。紙蓋１の末端１０ａは、径方向に凸凹した形状となっている。これにより、末端１０ａをなぞっても、手や指を切ることがなく、安全な紙蓋１を提供することができる。
【０１６７】
図２９（ａ）は、図１（ｂ）中のＸＸＩＸＡ−ＸＸＩＸＡ線に沿う模式断面図である。図２９（ｂ）は、図１（ｂ）中のＸＸＩＸＢ−ＸＸＩＸＢ線に沿う模式断面図である。なお、図１（ｂ）中のＸＸＩＸＡ−ＸＸＩＸＡ線及びＸＸＩＸＢ−ＸＸＩＸＢ線は、例えば、紙蓋１を水平面に沿って切断する切断線である。図２９（ａ）は、変曲点Ｐ１から第２方向Ｚ２に３ｍｍを超えた箇所の断面を示し、図２９（ｂ）は、３ｍｍ以内の箇所の断面を示す。
【０１６８】
図２９（ａ）及び図２９（ｂ）に示すように、内嵌合部１２は、第１外表面１２ｅ、及び第１外表面１２ｅとは反対側の面にある内嵌合面１２ｆを有する。外嵌合部１４は、第２外表面１４ｅ及び第２外表面１４ｅとは反対側の面にある外嵌合面１４ｆを有する。紙蓋１を水平面に沿って切断した断面において、第１外表面１２ｅ、第２外表面１４ｅ、及び外嵌合面１４ｆのそれぞれには、しわ１７がある。内嵌合面１２ｆには、変曲点Ｐ１から少なくとも３ｍｍ以内の範囲において、しわ１７がなく（図２９（ｂ））、３ｍｍを超えるとしわ１７がある（図２９（ａ））。
【０１６９】
また、図２６（ａ）及び図２６（ｂ）に示したように、頂部１３は、第１外表面１２ｅ及び第２外表面１４ｅのそれぞれと連続した第３外表面１３ｅを有する。紙蓋１は、第１外表面１２ｅから第２外表面１４ｅにかけて、第３外表面１３ｅを跨ぐ複数のしわ１７を、さらに含む。頂部１３は、内嵌合面１２ｆ及び外嵌合面１４ｆのそれぞれと連続した頂部内面（図示せず）を有し、紙蓋１は、第３外表面１３ｅと同様に、頂部内面を跨ぐ複数のしわ１７を、さらに含む。
【０１７０】
しわ１７は、紙蓋１を製造する際、例えば、第１外表面１２ｅ、第２外表面１４ｅ、及び第３外表面１３ｅに圧縮力を与えることで形成することができる。このようなしわ１７は、第１外表面１２ｅ、第２外表面１４ｅ、及び第３外表面１３ｅのそれぞれに、例えば、ランダムに発生する。
【０１７１】
しかも、紙蓋１を製造する際、内嵌合部１２から、頂部１３、外嵌合部１４と順番に成型することで、内嵌合面１２ｆの天板部１１から少なくとも３ｍｍ以内、換言すると、内嵌合面１２ｆのうち、紙容器２の容器部内周面２１と当接する箇所には、しわ１７を発生させないようにできる。
【０１７２】
このような紙蓋１によれば、内嵌合面１２ｆの容器部内周面２１と当接する箇所では、しわ１７が発生していないため、内嵌合面１２ｆが、第１外表面１２ｅ及び第２外表面１４ｅ等と同じようにしわ１７が発生した場合に比較して、紙容器２が倒れた際に、内容物が漏れにくくなる、という利点を得ることができる。
【０１７３】
図３０（ａ）は紙蓋１を積み重ねた状態を示す模式斜視図である。図３０（ｂ）は紙蓋１を積み重ねたときの内嵌合部１２及び外嵌合部１４のそれぞれを拡大して示す模式断面図である。
【０１７４】
図３０（ａ）及び図３０（ｂ）に示すように、紙蓋１を積み重ねたとき、第１外表面１２ｅと内嵌合面１２ｆとの間に、しわ１７によって隙間が生じる。このため、第１外表面１２ｅ及び内嵌合面１２ｆのそれぞれにしわ１７がない紙蓋１に比較して、第１外表面１２ｅと内嵌合面１２ｆとの接触割合を少なくすることができる。したがって、紙蓋１を積み重ねても、接触した紙蓋１どうしが嵌まり込んでしまうことを抑制できる。
【０１７５】
第２外表面１４ｅと外嵌合面１４ｆとの間にも、しわ１７による隙間を、さらに生じさせると、紙蓋１どうしが嵌まり込みを、より強力に抑制することができる。
【０１７６】
このような一実施形態に係る紙蓋１によれば、紙容器２が倒れても内容物が漏れにくく、紙蓋１を積み重ねても紙蓋１どうしの嵌まり込みを抑制することが可能である、という利点を得ることができる。
【０１７７】
紙蓋１は、例えば、紙容器２の蓋として使用される。紙容器２には、例えば、液体が収容されることがある。このため、紙蓋１に使用される紙としては、撥水性の紙、又は表面が撥水加工された紙がよい。また、紙の面に樹脂を積層したラミネート紙や、樹脂をコーティングしたコート紙等でもよい。ただし、紙蓋１に使用される紙は、消費者のニーズにあわせて、適宜変更することができる。したがって、紙蓋１に使用される紙は、撥水性を持つ紙、又は表面が撥水加工された紙に限られるものではない。
【０１７８】
このような一実施形態に係る発明によれば、紙蓋１の天板部１１に、設計された形状を逸脱しにくい切込み１９を持つ紙蓋１、及び切込み１９を紙蓋１の天板部１１に、この天板部１１を破断させることなく形成することが可能な紙蓋１の製造方法を提供できる。
【０１７９】
以上、この発明の一実施形態を説明したが、上記一実施形態は例として提示したものであり、発明の範囲を限定することは意図していない。また、この発明の実施形態は、上記一実施形態が唯一のものでもない。また、この発明は、上記一実施形態の他、様々な新規な形態で実施することができる。したがって、上記一実施形態は、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【０１８０】
１：紙蓋
１０：ブランク
１０ａ：末端
１０ｂ：周縁領域
１０ｃ：中央領域
１０ｄ：仮想線
１０ｅ：角部
１１：天板部
１１ａ：天面
１１ｂ：容器面
１１ｃ：切れ目線で囲まれた部分
１１ｄ：第１端点と第２端点との間に残る部分
１２：内嵌合部
１２ｅ：第１外表面
１２ｆ：内嵌合面
１３：頂部
１３ｅ：第３外表面
１４：外嵌合部
１４ａ：傾斜部
１４ｂ：裾
１４ｃ：外嵌合部の上部
１４ｄ：外嵌合部の下部
１４ｅ：第２外表面
１４ｆ：外嵌合面
１５：フランジ部
１６：環状凹部
１７：しわ
１８：肩部
１９：切込み（第１例）
１９ｂ〜１９ｆ：切込み（第２例〜第６例）
１９１：第１端点
１９２：第２端点
１９３：切れ目線
１９ｘ：十字形状の切込み（第１参考例）
１９ｕ：Ｕ字形状の切込み（第２参考例）
１９ｖ：Ｖ字形状の切込み（第３参考例）
１ａ〜１ｃ：紙蓋（第１参考例、第２参考例、第４参考例）
２：紙容器
２１：容器部内周面
２２：カール部外周面
２３：容器部底板
３：テーブル
３１：テーブル面
４：紙目
４１ａ：１つの方向に裂け拡がった穴
４１ｂ：３つの方向に裂け拡がった穴
５１：第１直線部
５２：第２直線部
５３：曲線部
５４：第３直線部
５５：第４直線部
１００：加工機
１１０：ドローダイ
１１１：プランジャーガイドホール
１１２：載置面
１１３：曲面加工部
１２０：ブランクホルダー
１２１：パンチガイドホール
１２２：押さえ面
１３０：ドローパンチ
１３１：環状突起部
１３１ａ：曲面
１３２：パンチ面
１３３：窪み
１４０：プランジャー
１４１：縮径部
１４２：基径部
１５１：第１クリアランス
１５２：第２クリアランス
１５３：第３クリアランス
ＯＥＰ：周縁部
Ｘ１：第１方向
Ｚ２：第２方向
Ｘ３：第３方向
Ｚ４：第４方向
Ｘ５：第５方向
Ｚ６：第６方向
Ｆ１：第１成型荷重
Ｆ２：第２成型荷重
ＺＵ：上昇方向
ＺＤ：下降方向
Ｃ：圧縮力
Ｔ：引張力
Ｄ１：縮径部１４１の直径
Ｄ２：基径部１４２の直径
Ｔ１０：紙厚
Ｗ１：第１クリアランスの幅
Ｗ２：第２クリアランスの幅
Ｗ３：第３クリアランスの幅
ＲＰ：基準位置
Ｐ１１：天板部の位置
Ｐ１３：頂部の位置
Ｐ１５：フランジ部の位置
Ｐ２１：第１変曲点（切れ目線）
Ｐ２２：第２変曲点（切れ目線）
Ｐ２３：第３変曲点（切れ目線）
Ｈ：天面１１ａから頂点１３ａまでの高さ
Ｄ：外嵌合部１４の外径
Ｄ２２：紙容器２の口外径
Ｄ１５：フランジ部１５の外径
Ｐ：割合
ＳＤ：撮影方向
【図１】
2020090316.tif 000003
【図２】
2020090316.tif 000004
【図３】
2020090316.tif 000005
【図４】
2020090316.tif 000006
【図５】
2020090316.tif 000007
【図６】
2020090316.tif 000008
【図７】
2020090316.tif 000009
【図８】
2020090316.tif 000010
【図９】
2020090316.tif 000011
【図１０】
2020090316.tif 000012
【図１１】
2020090316.tif 000013
【図１２】
2020090316.tif 000014
【図１３】
2020090316.tif 000015
【図１４】
2020090316.tif 000016
【図１５】
2020090316.tif 000017
【図１６】
2020090316.tif 000018
【図１７】
2020090316.tif 000019
【図１８】
2020090316.tif 000020
【図１９】
2020090316.tif 000021
【図２０】
2020090316.tif 000022
【図２１】
2020090316.tif 000023
【図２２】
2020090316.tif 000024
【図２３】
2020090316.tif 000025
【図２４】
2020090316.tif 000026
【図２５】
2020090316.tif 000027
【図２６】
2020090316.tif 000028
【図２７】
2020090316.tif 000029
【図２８】
2020090316.tif 000030
【図２９】
2020090316.tif 000031
【図３０】
2020090316.tif 000032